(57)【要約】      （修正有）【課題】パネルに直接ネジ・ボルト等で取付ける必要がなく、水漏れ、発錆腐食、取付強度不足、荷重強度不足のないソーラーパネル一体型屋根を提供する。【解決手段】屋根パネル１とソーラーパネル２を連結用チャンネル材３に取付けて一体型パネルＡとし、この一体型パネルＡ、Ａ相互の屋根パネル１、１を連結兼固定金具４で連結すると共に、連結兼固定金具４を屋根構築ビーム３０に固定する。屋根パネル１は、アルミ成型材、硬質樹脂成型材等の枠材で形成した長方形のフレーム９の表裏両面に鋼板１０を張設し、フレームと鋼板で囲った中空部内に硬質発泡ポリウレタン等の充填材１１を注入発泡硬化して設けたものであり、連結兼固定金具４は、設定長の長方形板の両側辺を直角に立上げると共にコ形に曲成して、屋根パネルのＬ形突条１２に係合する係合部２６を形成し、その平行位置に複数のねじ孔２７を明けたものである。【選択図】図２
0003188828.tif 000002
【実用新案登録請求の範囲】
【請求項１】
屋根パネルとソーラーパネルを連結用チャンネル材に取付けて一体型パネルを設け、
前記一体型パネル相互の屋根パネルを連結兼固定金具で連結すると共に、該連結兼固定金具を屋根構築ビームに固定して構成した、
ソーラーパネル一体型屋根。
【請求項２】
前記屋根パネルは、アルミ成型材、硬質樹脂成型材等の枠材で形成した長方形のフレームの表裏両面に鋼板を張設し、フレームと表裏面の鋼板で囲った中空部内に硬質発泡ポリウレタン等の充填材を注入発泡硬化して設けたものであって、
前記フレームの枠材は、長手方向の両辺にリムを形成すると共に一方のリム付近に連結金具係合用のＬ形突条を形成し、前記表裏両面に鋼板の周縁を前記リムにプラスチック断熱材を介して巻付け張設して側辺リムを形成したものであり、
前記ソーラーパネルは、太陽光発電装置の長方形太陽光発電パネルであり、
前記連結用チャンネル材は、幅広板状の長尺なアルミ成型材の、一方面長手方向の、略中央部に狭幅板状突条を形成すると共に先端下面に爪状リムを形成し、その下方部に凹溝を備えた幅広板状突条を形成し、下端部に小突条を形成し、
他方面長手方向の、上端部に溝レールを形成し、その下方部にＬ形突条を形成すると共に先端下面に爪状リムを形成し、下端部にＬ形突条を形成したものであり、
前記連結兼固定金具は、設定長の長方形板の両側辺を直角に立上げると共にコ形に曲成して、前記屋根パネルのＬ形突条係合用の係合部を形成し、該係合部の平行位置に複数のねじ孔を明けたものであり、
パネル取付金具は、設定長の長方形板の一側辺をＬ形に曲成すると共に複数のボルト孔を明けたものであり、
パネル取付金具は、設定長の長方形板の一側辺をＬ形に曲成すると共に複数のボルト孔を明けたものである、
請求項１のソーラーパネル一体型屋根。
【請求項３】
連結用チャンネル材の小突条と幅広板状突条の間に屋根パネルの側辺リムを係合すると共に幅広板状突条の凹溝と屋根パネルの表面鋼板をねじ止めして、屋根パネルの両側辺に夫々連結用チャンネル材を取付け、
両連結用ャンネル材の、狭幅板状突条間にソーラーパネルを載置すると共に溝レール上とソーラーパネル側辺上にパネル取付金具を被せ、溝レールに頭部を挿通したボルトをパネル取付金具のボルト孔に通しナット締めし、もって、屋根パネルとソーラーパネルを一体とした一体型パネルを設け、
隣接する一体型パネル相互の屋根パネルのＬ形突条に跨って連結兼固定金具を係合して、隣接する一体型パネル相互を連結すると共に、連結兼固定金具のねじ孔を通したねじを屋根構築ビームに螺合固定して構成した、
請求項１、請求項２のソーラーパネル一体型屋根。
【請求項４】
前記の隣接する一体型パネルの、相対する屋根パネルのＬ形突条に跨って長尺なコ形広幅防水カバーを係合し、該カバー上に軟質断熱材を充填し、
相対する連結用チャンネル材の一方面下端のＬ形突条に跨って長尺な凸形防水カバーを係合し、該カバーをＬ形突条が形成する溝と上方のＬ形突条先端下面の爪状リムの間に嵌着した設定長のクリップで押え、
爪状リム付きＬ形突条に跨って長尺な凸形防水カバーを係合し、該カバーをＬ形突条が形成する溝と上方の溝レールの下面の爪状リムの間に嵌着した設定長のクリップで押え、
また、相対する連結用チャンネル材の他方面の幅広板状突条の凹溝及びねじを覆って長尺な防水カバーを取付け、該カバーを凹溝と上方のＬ形突条先端下面の爪状リムの間に嵌着した設定長のクリップで押えて構成したものである、
請求項１、請求項２、請求項３のソーラーパネル一体型屋根。
【考案の詳細な説明】
【技術分野】
【０００１】本考案は、屋根パネルとソーラーパネルを連結用チャンネル材に取付けて一体型パネルを設け、前記一体型パネル相互の屋根パネルを連結兼固定金具で連結すると共に、該連結兼固定金具を屋根構築ビームに固定して構成した、ソーラーパネル一体型屋根に係るものである。
【背景技術】
【０００２】従来、プレハブ式建築物、例えば、住宅、オフィイス、作業場、各種倉庫、クリーンルーム、冷凍・冷蔵倉庫、その他の建築物の屋根を長方形板状の屋根パネルを使用して建築する場合、該屋根パネルの内面を前記建築物の屋根構築ビーム（屋根構造骨格及び該構造骨格に備えた胴縁・梁等）に一体的に配列設置して構成している。【０００３】前記屋根パネルは、通常、アルミ成型材、硬質樹脂成型材等の枠材で形成した長方形のフレームの表裏両面に薄い鋼板（カラー鉄板等）を張設し、フレームと表裏面の鋼板で囲った中空部内に硬質発泡ポリウレタン等の充填材を注入発泡硬化して設けたものであり、長年耐久性、耐外圧衝撃性、耐水気密性、遮音性、特に断熱性に優れた特性を備えたものである。【０００４】一方、近時の省エネ、節電、震災等緊急時等に対応して、太陽光発電が盛んに奨励され、その需要が急増する傾向にある。
一般的な太陽光発電装置の概略構成は、太陽光発電パネル（以下、ソーラーパネルと記す。）と、それに配線したチャージコントローラー、インバーター等の付属機器からなり、前記ソーラーパネルを各種建築物の屋根上に設置した適宜の架台に複数枚配列設置して備えたものである。
【先行技術文献】
【特許文献】
【０００５】
【特許文献１】特開２００４−１００１６１号
【考案の概要】
【考案が解決しようとする課題】
【０００６】ところが、従来、前記太陽光発電装置は建築物（プレハブ式建築物を含めて）等の既存の屋根に、謂わば、事後的に、その屋根の面積、形状や設置予算等に合わせて設置する方式ばかりで行われているのみで、予め太陽光発電装置と一体的に構成した屋根は全く提供されていない課題があった。【０００７】特に、パネルを連結して屋根を構成するプレハブ式建築物の場合には、通常の建築物と相違し、パネルに事後的に設置することが困難な課題（設置工事、耐水、耐重量等の障害）があり、例えば、従来の屋根パネルを連結して屋根を構成した場合、市販のソーラーパネルの形状・寸法は、パネルの形状・寸法に合わせてあるわけではないため、屋根パネル上にソーラーパネル若しくはその架台を取付けるとき、パネルに直接ネジ・ボルト等で取付けることになるため水漏れ、発錆腐食、取付強度不足、荷重強度不足等多くの点で不適切な課題があった。【０００８】そこで、本考案は、前記のように、太陽光発電装置を事後的に設置することが困難なプレハブ式建築物の屋根においても、太陽光発電装置を備えたプレハブ式建築物を極めて容易に提供し得るように、予め屋根パネルと太陽光発電装置を組合せ一体化した一体型パネルを開発・提供して、上記従来の課題を有効に解決したものである。
【課題を解決するための手段】
【０００９】請求項１の考案は、屋根パネルとソーラーパネルを連結用チャンネル材に取付けて一体型パネルを設け、前記一体型パネル相互の屋根パネルを連結兼固定金具で連結すると共に、該連結兼固定金具を屋根構築ビームに固定して構成したソーラーパネル一体型屋根によって課題を解決したものである。【００１０】請求項２の考案は、前記屋根パネルは、アルミ成型材、硬質樹脂成型材等の枠材で形成した長方形のフレームの表裏両面に鋼板を張設し、フレームと表裏面の鋼板で囲った中空部内に硬質発泡ポリウレタン等の充填材を注入発泡硬化して設けたものであって、前記フレームの枠材は、長手方向の両辺にリムを形成すると共に一方のリム付近に連結金具係合用のＬ形突条を形成し、前記表裏両面に鋼板の周縁を前記リムにプラスチック断熱材を介して巻付け張設して側辺リムを形成したものであり、
前記ソーラーパネルは、太陽光発電装置の長方形太陽光発電パネルであり、
前記連結用チャンネル材は、幅広板状の長尺なアルミ成型材の、一方面長手方向の、略中央部に狭幅板状突条を形成すると共に先端下面に爪状リムを形成し、その下方部に凹溝を備えた幅広板状突条を形成し、下端部に小突条を形成し、
他方面長手方向の、上端部に溝レールを形成し、その下方部に長尺なＬ形突条を形成すると共に先端下面に爪状リムを形成し、下端部にＬ形突条を形成したものであり、
前記連結兼固定金具は、設定長の長方形板の両側辺を直角に立上げると共にコ形に曲成して、前記屋根パネルのＬ形突条係合用の係合部を形成し、該係合部の平行位置に複数のねじ孔を明けたものであり、
パネル取付金具は、設定長の長方形板の一側辺をＬ形に曲成すると共に複数のボルト孔を明けたものである、請求項１のソーラーパネル一体型屋根によって課題を解決したものである。【００１１】請求項３の考案は、連結用チャンネル材の小突条と幅広板状突条の間に屋根パネルの側辺リムを係合すると共に幅広板状突条の凹溝と屋根パネルの表面鋼板をねじ止めして、屋根パネルの両側辺に夫々連結用チャンネル材を取付け、
両連結用ャンネル材の、狭幅板状突条間にソーラーパネルを載置すると共に溝レール上とソーラーパネル側辺上にパネル取付金具を被せ、溝レールに頭部を挿通したボルトをパネル取付金具のボルト孔に通しナット締めし、もって、屋根パネルとソーラーパネルを一体とした一体型パネルを設け、
隣接する一体型パネル相互の屋根パネルのＬ形突条に跨って連結兼固定金具を係合して、隣接する一体型パネル相互を連結すると共に、連結兼固定金具のねじ孔を通したねじを屋根構築ビームに螺合固定して構成した、請求項１、請求項２のソーラーパネル一体型屋根によって課題を解決したものである。【００１２】請求項４の考案は、前記の隣接する一体型パネルの、相対する屋根パネルのＬ形突条に跨って長尺なコ形広幅防水カバーを係合し、該カバー上に軟質断熱材を充填し、
相対する連結用チャンネル材の一方面下端のＬ形突条に跨って長尺なコ形防水カバーを係合し、該カバーをＬ形突条が形成する溝と上方のＬ形突条先端下面の爪状リムの間に嵌着した設定長のクリップで押え、
爪状リム付きＬ形突条に跨って長尺なコ形防水カバーを係合し、該カバーをＬ形突条が形成する溝と上方の溝レールの下面の間に嵌着した設定長のクリップで押え、
また、相対する連結用チャンネル材の他方面の幅広板状突条の凹溝及びねじを覆って長尺な防水カバーを取付け、
該カバーを凹溝と上方のＬ形突条先端下面の爪状リムの間に嵌着した設定長のクリップで押えて構成したものである、請求項１、請求項２、請求項３のソーラーパネル一体型屋根によって課題を解決したものである。
【考案の効果】
【００１３】本考案は、一体型パネル相互の屋根パネルを連結兼固定金具で連結すると共に、該連結兼固定金具を屋根構築ビームに固定するだけで、極めて簡単かつ効率的にソーラーパネル一体型屋根を構成し得る革新的な効果がある。【００１４】屋根パネル、ソーラーパネル、連結用チャンネル材その他の部材は、全て、簡易かつ高精度、高能率な工場生産が可能なため、コスト、及び販売、運搬、保管等の流通において極めて有利な特徴がある。【００１５】屋根パネルとソーラーパネルを連結用チャンネル材に取付けて一体型パネルを設けるようにしたものであるので、個々に設けた屋根パネル、ソーラーパネル、連結用チャンネル材を予め一体型パネルに製造しておくことにより保管、運搬、使用に便利であり、若しくは、屋根パネル、ソーラーパネル、連結用チャンネル材を個々に保管、運搬して現場等で一体型パネルに構成するなど、自在に行い得る特徴がある。【００１６】一体型パネル相互の連結部分に、複数の防水カバーをクリップで固定して、複数段階式の防水構成としたので、一体型パネル相互間の防水、即ち、本考案屋根の全面に極めて優れた防水性能を保有せしめし得た効果がある。【００１７】屋根パネルはフレームと表裏面の鋼板で囲った中空部内に硬質発泡ポリウレタン等の充填材を注入発泡硬化して設け、表裏両面に鋼板の周縁を前記リムにプラスチック断熱材を介して巻付け張設して側辺リムを設け、また、屋根パネル相互の接続部分に軟質断熱材３１を充填したので、本考案屋根の全面を断熱性に優れた構成となし得た特徴がある。
【図面の簡単な説明】
【００１８】
【図１】図１は、実施例ソーラーパネル一体型屋根の構成を示す断面図である。
【図２】図２は、図１の一部拡大断面図である。
【図３】図３は、一体型パネルの斜視図である。
【図４】図４は、屋根パネルの正面図、平面図、右側面図、及び横断面拡大図である。
【図５】図５は、連結用チャンネル材の断面図、右側面図、及び左側面図である。
【図６】図６は、連結兼固定金具の平面図及び断面図である。
【図７】図７は、パネル取付金具の平面図及び断面図である。
【図８】図８は、屋根パネルのフレームの断面図、右側面図、及び左側面図である。
【考案を実施するための形態】
【００１９】屋根パネル１とソーラーパネル２を連結用チャンネル材３に取付けて一体型パネルＡを設け、前記一体型パネルＡ、Ａ相互の屋根パネル１、１を連結兼固定金具４で連結すると共に、該連結兼固定金具４を屋根構築ビーム３０に固定して構成したソーラーパネル一体型屋根を開発することによって実現した。
【実施例１】
【００２０】図１は実施例ソーラーパネル一体型屋根の構成を示す断面図、図２は図１の一部拡大断面図、図３は一体型パネルの斜視図、図４は屋根パネルの正面図、平面図、右側面図、及び横断面拡大図、図５は連結用チャンネル材の断面図、右側面図、及び左側面図、図６は連結兼固定金具の平面図及び断面図、図７はパネル取付金具の平面図及び断面図、図８は屋根パネルのフレームの断面図、右側面図、及び左側面図である。
符号、Ａは一体型パネル、１は屋根パネル、２はソーラーパネル、３は連結用チャンネル材、４は連結兼固定金具、５はパネル取付金具である。【００２１】本考案は、一体型パネルＡ、屋根パネル１、ソーラーパネル２、連結用チャンネル材３、連結兼固定金具４、パネル取付金具５、コ形広幅防水カバー６、凸形防水カバー７、クリップ７ａ、凸形防水カバー８、クリップ８ａ、防水カバー３３、クリップ３３ａをそれぞれ設け、【００２２】屋根パネル１は、アルミ成型材、硬質樹脂成型材等の枠材で形成した長方形のフレーム９の表裏両面に薄い鋼板１０（カラー鉄板等）を張設し、フレーム９と表裏面の鋼板１０で囲った中空部内に硬質発泡ポリウレタン等の充填材１１を注入発泡硬化して設けたものであって、前記フレーム９の枠材は、長手方向の両辺にリムを形成すると共に一方のリム付近に連結固定金具４係合用のＬ形突条１２を形成し、前記表裏両面に鋼板１０の周縁を前記リムにプラスチック断熱材１３を介して巻付け張設して側辺リム１４を形成したものであり、【００２３】ソーラーパネル２は、太陽光発電装置の長方形太陽光発電パネルであり、【００２４】連結用チャンネル材３は、幅広板状の長尺なアルミ成型材の、一方面長手方向の、略中央部にソーラーパネル２載置用の狭幅板状突条１５を形成すると共に先端下面に爪状リム１６を形成し、その下方部に屋根パネル１取付ねじ１７用の凹溝１８を備えた幅広板状突条１９を形成し、下端部に屋根パネル１の側辺リム１４係合用の小突条２０を形成し、
他方面長手方向の、上端部に固定ボルト２１の頭部挿通用の溝レール２２を形成し、その下方部に長尺な凸形防水カバー８とカバー押えクリップ８ａ係合用のＬ形突条２３を形成すると共に先端下面に爪状リム２４を形成し、下端部に長尺な凸形防水カバー７とカバー押えクリップ７ａ係合用のＬ形突条２５を形成したものであり、【００２５】連結兼固定金具４は、設定長の長方形板の両側辺を直角に立上げると共にコ形に曲成して、前記屋根パネルのＬ形突条１２係合用の係合部２６を形成し、該係合部２６の平行位置に複数のねじ孔２７を明けたものであり、【００２６】パネル取付金具５は、設定長の長方形板の一側辺をＬ形に曲成すると共に複数のボルト孔２８を明けたものであって、【００２７】連結用チャンネル材３の小突条２０と幅広板状突条１９の間に屋根パネル１の側辺リム１４を係合すると共に幅広板状突条１９の凹溝１８と屋根パネル１の表面鋼板１０を取付ねじ１７でねじ止めして、屋根パネル１の両側辺に夫々連結用チャンネル材３を取付け、【００２８】両連結用ャンネル材３、３の、狭幅板状突条１５，１５間にソーラーパネル２を載置すると共に溝レール２２、２２上とソーラーパネル２側辺上にパネル取付金具５、５を被せ、溝レール２２、２２に頭部を挿通した固定ボルト２１、２１をパネル取付金具５、５のボルト孔２８、２８に通しナット締めし、もって、屋根パネル１とソーラーパネル２を一体とした一体型パネルＡを設け、【００２９】隣接する一体型パネルＡ、Ａ相互の屋根パネル１、１のＬ形突条１２、１２に跨って連結兼固定金具４の係合部２６、２６を係合して、隣接する一体型パネルＡ、Ａ相互を連結すると共に、
連結兼固定金具４のねじ孔２７を通したねじ２９を屋根構築ビーム３０に螺合固定し、【００３０】次いで、前記の隣接する一体型パネルＡ、Ａの、相対する屋根パネル１、１のＬ形突条１２、１２に跨って長尺なコ形広幅防水カバー６を係合し、該カバー６上に軟質断熱材３１を充填し、
相対する連結用チャンネル材３，３の一方面下端のＬ形突条２５、２５に跨って長尺な凸形防水カバー７を係合し、該カバー７をＬ形突条２５、２５が形成する溝と上方のＬ形突条２３、２３先端下面の爪状リム２４の間に嵌着した設定長のクリップ７ａで押え、Ｌ形突条２３、２３に跨って長尺な凸形防水カバー８を係合し、該カバー８をＬ形突条２３、２３が形成する溝と上方の溝レール２２、２２の下面の爪状リム３２、３２の間に嵌着した設定長のクリップ８ａで押え、
また、相対する連結用チャンネル材３，３の他方面の幅広板状突条１９、１９の凹溝１８、１８及び取付ねじ３２、３２を覆って長尺な防水カバー３３、３３を取付け、該カバー３３、３３を凹溝１８、１８と上方のＬ形突条１５、１５先端下面の爪状リム１６、１６の間に嵌着した設定長のクリップ３３ａ、３３ａで押えて、本考案ソーラーパネル一体型屋根を構成したものである。【００３１】一体型パネルは、図示例（図３）では屋根パネル１枚、ソーラーパネル１枚を使用し、それぞれ幅１ｍ、長さ６ｍであるが、屋根パネル、ソーラーパネルの幅および長さ寸法は任意である。
また、連結用チャンネル材は連続長であり、目的に応じて設定長に切断して使用する。
一体型パネルの連結用チャンネル材に取付ける屋根パネル、ソーラーパネルは１枚以上任意である。
【産業上の利用可能性】
【００３２】本考案は、屋根パネルとソーラーパネルを連結用チャンネル材に取付けて一体型パネルを設け、前記一体型パネル相互の屋根パネルを連結兼固定金具で連結すると共に、該連結兼固定金具を屋根構築ビームに固定して構成したソーラーパネル一体型屋根を開発したことを特徴とするものであるので、
プレハブ式建築・構築物はもとより、コンクリート、鉄骨、木造等の建築・構築物等の平面屋根、傾斜屋根、屋上、若しくは壁面等の極めて広範囲に使用・利用・応用可能な特徴がある。
【符号の説明】
【００３３】Ａ    一体型パネル
１    屋根パネル
２    ソーラーパネル
３    連結用チャンネル材
４    連結兼固定金具
５    パネル取付金具
６    コ形広幅防水カバー
７    凸形防水カバー
７ａ  クリップ７
８    凸形防水カバー
８ａ  クリップ
９    フレーム
１０  鋼板
１１  充填材
１２  Ｌ形突条
１３  プラスチック断熱材
１４  側辺リム
１５  狭幅板状突条
１６  爪状リム
１７  取付ねじ（屋根パネル）
１８  凹溝
１９  幅広板状突条
２０  小突条
２１  固定ボルト
２２  溝レール
２３  Ｌ形突条
２４  爪状リム
２５  Ｌ形突条
２６  係合部
２７  ねじ孔
２８  ボルト孔
２９  ねじ（連結兼固定金具）
３０  ビーム
３１  軟質断熱材
３２  爪状リム（溝レール）
３３  防水カバー
３３ａ  クリップ
【図１】
0003188828.tif 000003
【図２】
0003188828.tif 000004
【図３】
0003188828.tif 000005
【図４】
0003188828.tif 000006
【図５】
0003188828.tif 000007
【図６】
0003188828.tif 000008
【図７】
0003188828.tif 000009
【図８】
0003188828.tif 000010
【手続補正書】
【提出日】平成25年11月18日(2013.11.18)
【手続補正１】
【補正対象書類名】実用新案登録請求の範囲
【補正対象項目名】全文
【補正方法】変更
【補正の内容】
【実用新案登録請求の範囲】
【請求項１】
屋根パネルとソーラーパネルを連結用チャンネル材に取付けて一体型パネルを設け、
前記一体型パネル相互の屋根パネルを連結兼固定金具で連結すると共に、該連結兼固定金具を屋根構築ビームに固定して構成した、
ソーラーパネル一体型屋根。
【請求項２】
前記屋根パネルは、アルミ成型材、硬質樹脂成型材等の枠材で形成した長方形のフレームの表裏両面に鋼板を張設し、フレームと表裏面の鋼板で囲った中空部内に硬質発泡ポリウレタン等の充填材を注入発泡硬化して設けたものであって、
前記フレームの枠材は、長手方向の両辺にリムを形成すると共に一方のリム付近に連結金具係合用のＬ形突条を形成し、前記表裏両面に鋼板の周縁を前記リムにプラスチック断熱材を介して巻付け張設して側辺リムを形成したものであり、
前記ソーラーパネルは、太陽光発電装置の長方形太陽光発電パネルであり、
前記連結用チャンネル材は、幅広板状の長尺なアルミ成型材の、一方面長手方向の、略中央部に狭幅板状突条を形成すると共に先端下面に爪状リムを形成し、その下方部に凹溝を備えた幅広板状突条を形成し、下端部に小突条を形成し、
他方面長手方向の、上端部に溝レールを形成し、その下方部にＬ形突条を形成すると共に先端下面に爪状リムを形成し、下端部にＬ形突条を形成したものであり、
前記連結兼固定金具は、設定長の長方形板の両側辺を直角に立上げると共にコ形に曲成して、前記屋根パネルのＬ形突条係合用の係合部を形成し、該係合部の平行位置に複数のねじ孔を明けたものであり、
パネル取付金具は、設定長の長方形板の一側辺をＬ形に曲成すると共に複数のボルト孔を明けたものである、
請求項１記載のソーラーパネル一体型屋根。
【請求項３】
連結用チャンネル材の小突条と幅広板状突条の間に屋根パネルの側辺リムを係合すると共に幅広板状突条の凹溝と屋根パネルの表面鋼板をねじ止めして、屋根パネルの両側辺に夫々連結用チャンネル材を取付け、
両連結用ャンネル材の、狭幅板状突条間にソーラーパネルを載置すると共に溝レール上とソーラーパネル側辺上にパネル取付金具を被せ、溝レールに頭部を挿通したボルトをパネル取付金具のボルト孔に通しナット締めし、もって、屋根パネルとソーラーパネルを一体とした一体型パネルを設け、
隣接する一体型パネル相互の屋根パネルのＬ形突条に跨って連結兼固定金具を係合して、隣接する一体型パネル相互を連結すると共に、連結兼固定金具のねじ孔を通したねじを屋根構築ビームに螺合固定して構成した、
請求項１または２記載のソーラーパネル一体型屋根。
【請求項４】
前記の隣接する一体型パネルの、相対する屋根パネルのＬ形突条に跨って長尺なコ形広幅防水カバーを係合し、該カバー上に軟質断熱材を充填し、
相対する連結用チャンネル材の一方面下端のＬ形突条に跨って長尺な凸形防水カバーを係合し、該カバーをＬ形突条が形成する溝と上方のＬ形突条先端下面の爪状リムの間に嵌着した設定長のクリップで押え、
爪状リム付きＬ形突条に跨って長尺な凸形防水カバーを係合し、該カバーをＬ形突条が形成する溝と上方の溝レールの下面の爪状リムの間に嵌着した設定長のクリップで押え、
また、相対する連結用チャンネル材の他方面の幅広板状突条の凹溝及びねじを覆って長尺な防水カバーを取付け、該カバーを凹溝と上方のＬ形突条先端下面の爪状リムの間に嵌着した設定長のクリップで押えて構成したものである、
請求項１〜３のいずれか一項に記載のソーラーパネル一体型屋根。